(57)【要約】【課題】材料ロスを削減でき、梱包作業性、運搬性の向上を図る。【解決手段】包装材１を所定方向の折曲線１ａに沿って折曲して少なくとも３面以上の筒状の外装壁２を形成するとともに、この外装壁２を分割可能なミシン目３を、包装材１の折曲線１ａに直交する方向に設け、分割時に外装壁２に収納された収容物３が脱落しないように、外装壁２の分割可能な部分２ａ毎に略側壁を設けて複数の収容物４を梱包可能とした。これにより、包装材１の材料取りの段階における材料ロスが削減できる。また、販売形態とし大半が複数個での取り扱いになる場合においても、複数個入り梱包により運搬性が向上する。さらに、梱包自体を複数でバンド止め等でまとめる場合においても作業が容易になる。また、端数の要望に対しても、ミシン目３で個別に分割可能であるので容易に対応可能となる。【選択図】　　　　図１
2004026271.tif 000002
【特許請求の範囲】
【請求項１】
包装材を所定方向の折曲線に沿って折曲して少なくとも３面以上の筒状の外装壁を形成するとともに、この外装壁を分割可能なミシン目を、前記包装材の折曲線に直交する方向に設け、分割時に前記外装壁に収納された収容物が脱落しないように、前記外装壁の分割可能な部分毎に略側壁を設けて複数の収容物を梱包可能としたことを特徴とする包装構造。
【請求項２】
略側壁は、外装壁の分割可能な部分の少なくとも一対の対向する面にスリット孔を設け、このスリット孔に梱包材を差し込むことで形成される請求項１記載の包装構造。
【請求項３】
略側壁は、外装壁の分割可能な部分の少なくとも一対の対角部に形成された切り起こし部である請求項１記載の包装構造。
【請求項４】
外装壁を１枚の長方形の包装材で形成した請求項１，２または３記載の包装構造。
【請求項５】
外装壁を略コの字形の外装部材の一対の組み合わせで形成した請求項１，２または３記載の包装構造。
【請求項６】
切り起こし部は、外装壁の分割可能な部分の分割面から間隔をおいて形成した請求項３，４または５記載の包装構造。
【請求項７】
外装壁の分割可能な部分の側面を塞ぐように、切り起こし部の内側に固定されるパッドを設けた請求項３，４，５または６記載の包装構造。
【請求項８】
外装壁を略コの字形の外装部材の一対の組み合わせで形成し、一方の外装部材の対向する側片に切り起こし片を設け、他方の外装部材の対向する側片に前記切り起こし片に係合するスリットを形成し、前記切り起こし片が前記スリットにて固定されることで略側壁を形成した請求項１または５記載の包装構造。
【請求項９】
分割用のミシン目は、等間隔に切り込みと切り込みのない部分を設けた請求項１記載の包装構造。
【発明の詳細な説明】
【０００１】
【発明の属する技術分野】
この発明は、包装構造に関するものである。
【０００２】
【従来の技術】
従来、照明制御機器等の複数の商品を包装する場合、図１３に示すように、１個の商品５０をコの字形のパッド５１で保護した状態で箱型の外箱５２に投入し、テープ５３で止めて封緘していた。また、複数の商品を包装する際には、上記のように１個の商品を包装した個装５４を外装に箱詰めしている。すなわち、図１４に示すように、予め用意していた外装５５に個装５４を複数個投入し、上からパッド５６を被せてテープ５３で止めて封緘していた。または、図１５に示すように、個装５４を積み重ねてバンド５７を掛けて束ねていた。
【０００３】
【発明が解決しようとする課題】
しかしながら、上記従来の包装構造では、図１６に示すように、箱型の梱包を作るとき、梱包材５８の一部分で箱となる部分５８ａが形成され、それ以外の斜線部分５８ｂが材料ロスとなる。このため、梱包材５８の約半分が材料ロスとなり、箱１個分ロスしていることになる。
【０００４】
また、個装の状態であると複数の商品の運搬が不便であるため、図１４および図１５に示すような包装形態をとっているが、図１４の従来例では、外装５５やパッド５６などが必要となるため、廃材が多くなり材料コストがかかる。また、多重包装となり、梱包作業性が低下するという問題がある。
【０００５】
また、図１５の従来例では、バンド掛けにより複数の個装５４をまとめるため、梱包作業が困難であった。
【０００６】
したがって、この発明の目的は、材料ロスを削減でき、梱包作業性、運搬性の向上を図ることができる包装構造を提供することである。
【０００７】
【課題を解決するための手段】
上記課題を解決するためにこの発明の請求項１記載の包装構造は、包装材を所定方向の折曲線に沿って折曲して少なくとも３面以上の筒状の外装壁を形成するとともに、この外装壁を分割可能なミシン目を、前記包装材の折曲線に直交する方向に設け、分割時に前記外装壁に収納された収容物が脱落しないように、前記外装壁の分割可能な部分毎に略側壁を設けて複数の収容物を梱包可能とした。
【０００８】
このように、包装材を所定方向の折曲線に沿って折曲して少なくとも３面以上の筒状の外装壁を形成するとともに、この外装壁を分割可能なミシン目を、包装材の折曲線に直交する方向に設け、分割時に外装壁に収納された収容物が脱落しないように、外装壁の分割可能な部分毎に略側壁を設けて複数の収容物を梱包可能としたので、包装材の材料取りの段階における材料ロスが削減できる。また、販売形態とし大半が複数個での取り扱いになる場合においても、複数個入り梱包により運搬性が向上する。さらに、梱包自体を複数でバンド止め等でまとめる場合においても作業が容易になる。また、端数の要望に対しても、ミシン目で個別に分割可能であるので容易に対応可能となる。
【０００９】
請求項２記載の包装構造は、請求項１記載の包装構造において、略側壁は、外装壁の分割可能な部分の少なくとも一対の対向する面にスリット孔を設け、このスリット孔に梱包材を差し込むことで形成される。このように、略側壁は、外装壁の分割可能な部分の少なくとも一対の対向する面にスリット孔を設け、このスリット孔に梱包材を差し込むことで形成されるので、梱包材により収容物が保持され、分割時に収容物の脱落を防止することができる。また、包装材はスリット孔に抜き差し自在であるので、必要に応じて配置することができ、包装材を抜いて収容物を確認することもできる。
【００１０】
請求項３記載の包装構造は、請求項１記載の包装構造において、略側壁は、外装壁の分割可能な部分の少なくとも一対の対角部に形成された切り起こし部である。このように、略側壁は、外装壁の分割可能な部分の少なくとも一対の対角部に形成された切り起こし部であるので、切り起こし部により収容物が保持され、分割時に収容物の脱落を防止することができる。また、外装壁だけで構成することができ部材点数が削減する。
【００１１】
請求項４記載の包装構造は、請求項１，２または３記載の包装構造において、外装壁を１枚の長方形の包装材で形成した。このように、外装壁を１枚の長方形の包装材で形成したので、材料ロスとなる部分がない。
【００１２】
請求項５記載の包装構造は、請求項１，２または３記載の包装構造において、外装壁を略コの字形の外装部材の一対の組み合わせで形成した。このように、外装壁を略コの字形の外装部材の一対の組み合わせで形成したので、収容物は下方の外装部材の分割可能な部分において、略側壁どうしの間に配置し、上方の外装部材を収容物の上に被せることで包装が完了する。
【００１３】
請求項６記載の包装構造は、請求項３，４または５記載の包装構造において、切り起こし部は、外装壁の分割可能な部分の分割面から間隔をおいて形成した。このように、切り起こし部は、外装壁の分割可能な部分の分割面から間隔をおいて形成したので、側面から衝撃を受けた場合に、切り起こし部と分割面との間の距離により衝撃を緩和することで緩衝性を設けることが可能となる。
【００１４】
請求項７記載の包装構造は、請求項３，４，５または６記載の包装構造において、外装壁の分割可能な部分の側面を塞ぐように、切り起こし部の内側に固定されるパッドを設けた。このように、外装壁の分割可能な部分の側面を塞ぐように、切り起こし部の内側に固定されるパッドを設けたので、分割時に側面を完全に塞ぐことができる。収容物が側面から見えたり、傷に対し配慮すべき物である場合に有効である。
【００１５】
請求項８記載の包装構造は、請求項１または５記載の包装構造において、外装壁を略コの字形の外装部材の一対の組み合わせで形成し、一方の外装部材の対向する側片に切り起こし片を設け、他方の外装部材の対向する側片に前記切り起こし片に係合するスリットを形成し、前記切り起こし片が前記スリットにて固定されることで略側壁を形成した。このように、外装壁を略コの字形の外装部材の一対の組み合わせで形成し、一方の外装部材の対向する側片に切り起こし片を設け、他方の外装部材の対向する側片に切り起こし片に係合するスリットを形成し、切り起こし片がスリットにて固定されることで略側壁を形成したので、切り起こし片により収容物が保持され、分割時に収容物の脱落を防止することができる。他方はスリットを形成するだけなので、切り起こす部分が少なくなり容易に製造できる。
【００１６】
請求項９記載の包装構造は、請求項１記載の包装構造において、分割用のミシン目は、等間隔に切り込みと切り込みのない部分を設けた。このように、分割用のミシン目は、等間隔に切り込みと切り込みのない部分を設けたので、分割が容易であるとともに、分割しない場合でも外装壁の強度を保持できる。
【００１７】
【発明の実施の形態】
この発明の第１の実施の形態を図１および図２に基づいて説明する。図１（ａ）はこの発明の第１の実施の形態の包装構造の概念図、（ｂ）は第１の実施の形態における外装壁の展開図である。
【００１８】
図１に示すように、包装材１を所定方向の折曲線１ａに沿って折曲して少なくとも３面以上の筒状の外装壁２を形成するとともに、この外装壁２を分割可能なミシン目３を、包装材１の折曲線１ａに直交する方向に設け、分割時に外装壁２に収納された収容物４が脱落しないように、外装壁２の分割可能な部分２ａ毎に略側壁（図示せず）を設けて複数の収容物４を梱包可能とした。この場合、外装壁２を１枚の長方形の包装材１からなり、３箇所の折曲線１ａを折曲して角筒状に形成している。また、分割用のミシン目３は、等間隔に切り込みと切り込みのない部分を設けている。
【００１９】
図２はこの発明の第１の実施の形態の一部分解斜視図であり、分割時の収容物の脱落を防止するための略側壁の具体例を示す。図２に示すように、略側壁は、外装壁２の分割可能な部分２ａの少なくとも一対の対向する面にスリット孔６を設け、このスリット孔６に側壁となる梱包材７を差し込むことで形成される。ここで、スリット孔６は、梱包材７の厚みｔの幅で形成した中央部分６ｂ（長さ寸法Ｌ１）と、切線のみ入れた端部６ａとを設けてある。このような構成の複数のスリット孔６が、折曲線１ａに沿って分割用のミシン目３を挟んで両側、および外装壁２の開口した側面近傍にそれぞれ配置される。
【００２０】
梱包材７は、その幅Ｌ２がスリット孔６の中央部分６ｂの長さ寸法Ｌ１と略同じであり、かつ端部６ａに差し込み固定される突部７ａを設けてある。これにより、梱包材７の挿入後、スリット孔６から抜け落ちることはない。
【００２１】
収納時には、各スリット孔６に梱包材７を差し込み固定し、外装壁２の上片８を開けて、外装壁２の分割可能な部分２ａの一対の梱包材７，７間に収容物４を収納し、上片８を閉じてコーナをテープ９で止めて封緘する。
【００２２】
この実施の形態によれば、包装材１の材料取りの段階における材料ロスが削減できる。また、販売形態とし大半が複数個での取り扱いになる場合においても、複数個入り梱包により運搬性が向上する。さらに、梱包自体を複数でバンド止め等でまとめる場合においても作業が容易になる。また、端数の要望に対しても、ミシン目３で個別に分割可能であるので容易に対応可能となる。
【００２３】
この発明の第２の実施の形態を図３および図４に基づいて説明する。図３はこの発明の第２の実施の形態の包装構造の組立途中状態の斜視図、図４はその組立状態の断面図である。
【００２４】
図３および図４に示すように、第１の実施の形態において、略側壁は、外装壁２の分割可能な部分２ａの少なくとも一対の対角部に形成された切り起こし部１０である。
【００２５】
外装壁２は、第１の実施の形態と同様に１枚の長方形の包装材１を四角形に折曲して角筒状に形成される。切り起こし部１０は、四角形の少なくとも一対の対角部に設けられた切り線により形成される。この際、四角形のコーナ部の切り線により切断された部分を内側に起こして折曲線１ａに対応する位置で曲げることで、略Ｌ形の切り起こし部１０が形成される（図４）。これにより、切り起こし部１０はＡ方向に戻ることはなく側壁として機能する。このような構成の複数の切り起こし部１０が、折曲線１ａに沿って分割用のミシン目３の両側、および外装壁２の開口した側面近傍にそれぞれ配置される。
【００２６】
この場合、外装壁２の分割可能な部分２ａにおいて、収容物４は切り起こし部１０間の距離Ｌ３内に収められ、分割時においても切り起こし部１０により位置決めされて脱落することはない。その他の構成効果は、第１の実施の形態と同様である。
【００２７】
図５および図６は第２の実施の形態において外装壁の四角形コーナ部を利用した切り起こし部の変形例である。図５および図６に示すように、切り起こし部１１は、上記と同様に四角形の少なくとも一対の対角部に設けられた切り線により形成されているが、切り線により切断された部分を内側に起こした際の曲げ位置が異なる。すなわち、四角形の直交する片１２，１３に形成する両端の曲げ線１２ａ，１３ａの折曲線１ａからの距離Ｌ４，Ｌ５また、中間部の曲げ線１５，１６の位置により、異なった形状の略側壁を形成することが可能となる。
【００２８】
図７は第２の実施の形態において切り起こし部の形成位置の変形例である。図７に示すように、切り起こし部１０は、外装壁２の分割可能な部分２ａの分割面から間隔をおいて形成した。すなわち、切り起こし部１０の形成位置を、分割時のミシン目３から内側に設け、距離Ｌ６を設けることにより、側部への落下等に配慮し緩衝性を設けることが可能となる。
【００２９】
この発明の第３の実施の形態を図８に基づいて説明する。図８はこの発明の第３の実施の形態の包装構造の分解斜視図である。
【００３０】
図８に示すように、外装壁２を略コの字形の外装部材１８，１９の一対の組み合わせで形成した。外装部材１８，１９は、包装材１を２箇所の折曲線１ａに沿って略コの字形に折曲形成される。
【００３１】
この場合、外装部材１８，１９のコーナ部に第２の実施の形態と同様の略側壁となる切り起こし部１０が形成されている。組み合わせ時には、一方の外装部材１８の両側片が、他方の外装部材１９の両側片の内側または外側に嵌合する。これにより、収容物は下方の外装部材１９の分割可能な部分２ａにおいて、切り起こし部１０どうしの間に配置し、上方の外装部材１８を収容物の上に被せるだけで包装が完了する。
【００３２】
この実施の形態では、包装が容易になる。その他の構成効果は、第１の実施の形態と同様である。
【００３３】
この発明の第４の実施の形態を図９および図１０に基づいて説明する。図９はこの発明の第４の実施の形態の包装構造の組立途中状態の斜視図、図１０（ａ）はその組立状態の断面側面図、（ｂ）は断面正面図である。
【００３４】
図９および図１０に示すように、外装壁２の分割可能な部分２ａの側面を塞ぐように、切り起こし部１０の内側に固定されるパッド２０を設けた。この場合、略側壁となる切り起こし部１０は第２の実施の形態と同様の構成である。ここで、収容物が側面から見えたり、傷に対して配慮すべき物である場合、パッド２０を外装壁２の分割可能な部分２ａ内に挿入する。パッド２０は側面を塞ぐようにコの字形状をしており、その幅Ｌ７は、切り起こし部１０のピッチＬ３と同寸法にしておく。これにより、パッド２０が切り起こし部１ａにより固定され動くことはなくなる。その他の構成効果は、第１の実施の形態と同様である。
【００３５】
この発明の第５の実施の形態を図１１に基づいて説明する。図１１はこの発明の第５の実施の形態の包装構造の組立途中状態の斜視図である。
【００３６】
図１１に示すように、外装壁２を略コの字形の外装部材２２，２３の一対の組み合わせで形成し、一方の外装部材２３の対向する側片に切り起こし片２５を設け、他方の外装部材２２の対向する側片に切り起こし片２５に係合するスリット２４を形成し、切り起こし片２５がスリット２４にて固定されることで略側壁を形成した。外装部材２２，２３は、包装材１を２箇所の折曲線１ａに沿って略コの字形に折曲形成される。
【００３７】
この場合、切り起こし片２５は、左右方向に開くように切り起こされる。スリット２４は、外装部材２２の側片の下端より切欠いて形成される。この際、スリット２４の幅は切り起こし片２５の厚みと略同寸法にする。これにより、スリット２４は切り起こし片２５を挟むように嵌合可能であり、嵌合時には切り起こし片２５が側壁となる。このような構成の複数のスリット２４および切り起こし片２５は、分割用のミシン目３の両側、および外装壁２の開口した側面近傍にそれぞれ配置される。
【００３８】
組み合わせ時には、上記スリット２４と切り起こし片２５の嵌合とともに、上方の外装部材２２の両側片が下方の外装部材２３の両側片の内側に嵌合する。収容物は下方の外装部材２３の分割可能な部分２ａにおいて、切り起こし片２５どうしの間に配置し、上方の外装部材２２を収容物の上に被せるだけで包装が完了する。その他の構成効果は、第１の実施の形態と同様である。
【００３９】
図１２は第５の実施の形態において切り起こし片の変形例である。図１２に示すように、切り起こし片２７は、上下方向に開くように切り起こされる。この場合、切り起こし片２７の基端を一部切断し、くの字形に折曲形成してある。スリット２６は、外装部材２２の側片の下端より切欠いて形成されるが、スリット２６の幅は切り起こし片２７の幅と略同寸法にする。
【００４０】
なお、第３の実施の形態において、略側壁を第１の実施の形態のようにスリット孔と梱包材で構成してもよく、また第２の実施の形態の図７に示したように切り起こし部を、外装壁の分割可能な部分の分割面から間隔をおいて形成してもよい。
【００４１】
また、第４の実施の形態のパッドは、第３の実施の形態や第２の実施の形態の図７の構成に用いてもよい。
【００４２】
【発明の効果】
この発明の請求項１記載の包装構造によれば、包装材を所定方向に沿って折曲して少なくとも３面以上の筒状の外装壁を形成するとともに、この外装壁を分割可能なミシン目を、包装材の所定方向に直交する方向に設け、分割時に外装壁に収納された収容物が脱落しないように、外装壁の分割可能な部分毎に略側壁を設けて複数の収容物を梱包可能としたので、商品梱包として外箱を予め箱状に形成し収容物を収める方法に比べ、包装材の材料取りの段階における材料ロスが削減できる。また、販売形態とし大半が複数個での取り扱いになる場合においても、複数個入り梱包により運搬性が向上する。さらに、梱包自体を複数でバンド止め等でまとめる場合においても作業が容易になる。また、端数の要望に対しても、ミシン目で個別に分割可能であるので容易に対応可能となる。
【００４３】
請求項２では、略側壁は、外装壁の分割可能な部分の少なくとも一対の対向する面にスリット孔を設け、このスリット孔に梱包材を差し込むことで形成されるので、梱包材により収容物が保持され、分割時に収容物の脱落を防止することができる。また、包装材はスリット孔に抜き差し自在であるので、必要に応じて配置することができ、包装材を抜いて収容物を確認することもできる。
【００４４】
請求項３では、略側壁は、外装壁の分割可能な部分の少なくとも一対の対角部に形成された切り起こし部であるので、切り起こし部により収容物が保持され、分割時に収容物の脱落を防止することができる。また、外装壁だけで構成することができ部材点数が削減する。
【００４５】
請求項４では、外装壁を１枚の長方形の包装材で形成したので、材料ロスとなる部分がない。
【００４６】
請求項５では、外装壁を略コの字形の外装部材の一対の組み合わせで形成したので、収容物は下方の外装部材の分割可能な部分において、略側壁どうしの間に配置し、上方の外装部材を収容物の上に被せることで包装が完了する。
【００４７】
請求項６では、切り起こし部は、外装壁の分割可能な部分の分割面から間隔をおいて形成したので、側面から衝撃を受けた場合に、切り起こし部と分割面との間の距離により衝撃を緩和することで緩衝性を設けることが可能となる。
【００４８】
請求項７では、外装壁の分割可能な部分の側面を塞ぐように、切り起こし部の内側に固定されるパッドを設けたので、分割時に側面を完全に塞ぐことができる。収容物が側面から見えたり、傷に対し配慮すべき物である場合に有効である。
【００４９】
請求項８では、外装壁を略コの字形の外装部材の一対の組み合わせで形成し、一方の外装部材の対向する側片に切り起こし片を設け、他方の外装部材の対向する側片に切り起こし片に係合するスリットを形成し、切り起こし片がスリットにて固定されることで略側壁を形成したので、切り起こし片により収容物が保持され、分割時に収容物の脱落を防止することができる。他方はスリットを形成するだけなので、切り起こす部分が少なくなり容易に製造できる。
【００５０】
請求項９では、分割用のミシン目は、等間隔に切り込みと切り込みのない部分を設けたので、分割が容易であるとともに、分割しない場合でも外装壁の強度を保持できる。
【図面の簡単な説明】
【図１】（ａ）はこの発明の第１の実施の形態の包装構造の概念図、（ｂ）は第１の実施の形態における外装壁の展開図である。
【図２】この発明の第１の実施の形態の一部分解斜視図である。
【図３】この発明の第２の実施の形態の包装構造の組立途中状態の斜視図である。
【図４】図３の組立状態の断面図である。
【図５】（ａ）は第２の実施の形態の切り起こし部の変形例の要部展開図、（ｂ）は要部斜視図である。
【図６】第２の実施の形態の切り起こし部の変形例の断面図である。
【図７】第２の実施の形態の切り起こし部の形成位置の変形例の組立途中状態の斜視図である。
【図８】この発明の第３の実施の形態の包装構造の分解斜視図である。
【図９】この発明の第４の実施の形態の包装構造の組立途中状態の斜視図である。
【図１０】（ａ）はその組立状態の断面側面図、（ｂ）は断面正面図である。
【図１１】この発明の第５の実施の形態の包装構造の組立途中状態の斜視図である。
【図１２】第５の実施の形態の切り起こし片の変形例の要部斜視図である。
【図１３】（ａ）は従来例における個装の説明図、（ｂ）はその梱包状態の斜視図である。
【図１４】（ａ）は従来例における複数梱包の説明図、（ｂ）はその梱包状態の斜視図である。
【図１５】（ａ）は従来例における複数梱包の別の例の説明図、（ｂ）はその梱包状態の斜視図である。
【図１６】従来例の問題点を示す説明図である。
【符号の説明】
１　包装材
１ａ　折曲線
２　外装壁
２ａ　外装壁の分割可能な部分
３　ミシン目
４　収容物
６　スリット孔
７　梱包材
１０，１１　切り起こし部
１８，１９　外装部材
２０　パッド
２２，２３外装部材
２４，２６　スリット
２５，２７　切り起こし片
【図１】
2004026271.tif 000003
【図２】
2004026271.tif 000004
【図３】
2004026271.tif 000005
【図４】
2004026271.tif 000006
【図５】
2004026271.tif 000007
【図６】
2004026271.tif 000008
【図７】
2004026271.tif 000009
【図８】
2004026271.tif 000010
【図９】
2004026271.tif 000011
【図１０】
2004026271.tif 000012
【図１１】
2004026271.tif 000013
【図１２】
2004026271.tif 000014
【図１３】
2004026271.tif 000015
【図１４】
2004026271.tif 000016
【図１５】
2004026271.tif 000017
【図１６】
2004026271.tif 000018